(57)【要約】【課題】操作性が高められた光照射型美容装置を提供する。【解決手段】抑毛装置１０は、対象物（肌Ｓ）にフラッシュライトを照射する照射部５０と、照射部５０におけるフラッシュライトが発光する発光面１１０の周囲に配置されて、肌Ｓを冷却する冷却部８０とを備え、冷却部８０の冷却面８４は、発光面１１０に対して傾斜するように配置されている。【選択図】図４
2020162792.tif 000002
【特許請求の範囲】
【請求項１】
対象物にフラッシュライトを照射する照射部と、
前記照射部における前記フラッシュライトが発光する発光面の周囲に配置されて、前記対象物を冷却する冷却部とを備え、
前記冷却部の冷却面は、当該冷却面と前記発光面との境界部分が凸状となるように、前記発光面に対して傾斜する姿勢で配置されている
光照射型美容装置。
【請求項２】
前記照射部及び前記冷却部を保持するハウジングを備え、
前記ハウジングは、前記照射部及び前記冷却部を有するヘッド部と、前記ヘッド部に連続し、ユーザにより把握される把握部と、を備え、
前記冷却部は、前記ヘッド部内において前記照射部と前記把握部との間に配置されている
請求項１に記載の光照射型美容装置。
【請求項３】
前記対象物の温度を検出する温度検出部と、
前記温度検出部の検出温度に基づいて前記照射部を制御する制御部とを備え、
前記制御部は、前記温度検出部の検出温度が所定値以上である場合には、前記照射部の照射を禁止する
請求項１または２に記載の光照射型美容装置。
【請求項４】
前記冷却部を制御する制御部を備え、
前記冷却部は、ペルチェ素子あり、
前記制御部は、前記ペルチェ素子の冷却面の表面温度を−１０℃以上０℃以下とした状態で８秒以上の冷却時間で前記対象物を冷却する
請求項１〜３のいずれか一項に記載の光照射型美容装置。
【請求項５】
前記冷却部の前記冷却面の周囲に配置され、前記対象物に対する接触を検出する接触センサを有し、
前記制御部は、前記接触センサの検出結果に基づいて前記冷却時間を計測する
請求項４に記載の光照射型美容装置。
【請求項６】
前記冷却部の冷却面の面積は、前記発光面の面積よりも大きい
請求項１〜５のいずれか一項に記載の光照射型美容装置。
【発明の詳細な説明】
【技術分野】
【０００１】
本発明は、例えば抑毛装置などの光照射型美容装置に関する。
【背景技術】
【０００２】
従来、光照射型美容装置としては、体毛に対して光を照射することで抑毛効果を得る抑毛装置が知られている（例えば特許文献１参照）。この光照射型美容装置のヘッド部には、光を照射する照射部と、肌を冷却するための冷却部とが搭載されている。
【先行技術文献】
【特許文献】
【０００３】
【特許文献１】国際公開第２０１５／０９８４２７号
【発明の概要】
【発明が解決しようとする課題】
【０００４】
ところで、照射部と冷却部とがヘッド部に搭載されていると、ヘッド部が大型となり、ユーザが例えば鼻下などの狭い領域に照射部を位置合わせするのが困難となってしまい、操作性が損なわれているのが実情である。
【０００５】
このため、本発明の目的は、操作性が高められた光照射型美容装置を提供することである。
【課題を解決するための手段】
【０００６】
上記目的を達成するため、本発明の一態様に係る光照射型美容装置は、対象物にフラッシュライトを照射する照射部と、照射部におけるフラッシュライトが発光する発光面の周囲に配置されて、対象物を冷却する冷却部とを備え、冷却部の冷却面は、当該冷却面と発光面との境界部分が凸状となるように、発光面に対して傾斜する姿勢で配置されている。
【発明の効果】
【０００７】
本発明によれば、操作性が高められた光照射型美容装置を提供することができる。
【図面の簡単な説明】
【０００８】
【図１】図１は、実施の形態に係る抑毛装置の概略構成を示す平面図である。
【図２】図２は、実施の形態に係る抑毛装置の概略構成を示す側面図である。
【図３】図３は、実施の形態に係るヘッド部の概略構成を示す平面図である。
【図４】図４は、実施の形態に係るヘッド部の内部構成を示す断面図である。
【図５】図５は、実施の形態に係るヘッド部の内部構成を示す断面図である。
【図６】図６は、実施の形態に係る抑毛装置の制御構成を示すブロック図である。
【図７】図７は、実施の形態に係る冷却部によって肌を所定の冷却時間で冷却した後に、５秒経過した際の肌の表面温度を示すグラフである。
【図８】図８は、本実施の形態に係る抑毛装置の制御方法の流れを示すフローチャートである。
【図９】図９は、変形例１に係るヘッド部の概略構成を示す断面図である。
【図１０】図１０は、変形例１に係るヘッド部の概略構成を示す断面図である。
【図１１】図１１は、変形例２に係るヘッド部の概略構成を示す断面図である。
【発明を実施するための形態】
【０００９】
以下では、本発明の実施の形態に係る光照射型美容装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ及びステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［構成］
まず、実施の形態に係る光照射型美容装置の一例としての抑毛装置１０について説明する。図１は、実施の形態に係る抑毛装置１０の概略構成を示す平面図である。図２は、実施の形態に係る抑毛装置１０の概略構成を示す側面図である。
【００１２】
図１及び図２に示すように、抑毛装置１０は、外装体である長尺なハウジング２１を備えており、そのハウジング２１の一端部には、肌Ｓ（図４等参照）に対してフラッシュライトを照射するためのヘッド部３０が設けられている。ハウジング２１の一端部には、ヘッド部３０の通気路と外部とを連通する複数の通気孔３２が設けられている。
【００１３】
ハウジング２１におけるヘッド部３０とは反対側の部分は、ユーザにより把握される把握部４０であり、ヘッド部３０よりも細く形成されている。ハウジング２１は、ヘッド部３０から把握部４０にかけて湾曲する形状で形成されている。把握部４０には、電源のＯＮ／ＯＦＦを切り替えるための電源ボタン４１と、フラッシュライトを発光させるための発光ボタン４２と、電源ＯＮ時に点灯し、ＯＦＦ時に消灯する点灯部４３とが設けられている。また、把握部４０の下端部には、商用電源がケーブルを介して接続される電源端子４９が設けられている。
【００１４】
図３は、実施の形態に係るヘッド部３０の概略構成を示す平面図である。図４及び図５は、実施の形態に係るヘッド部３０の内部構成を示す断面図である。図４では、ヘッド部３０の発光面１１０をユーザの肌Ｓに当接させている状態を示している。図５では、ヘッド部３０の冷却面８４をユーザの肌Ｓに当接させている状態を示している。
【００１５】
図３〜図５に示すように、ヘッド部３０は、照射部５０と、温度検出部７０と、冷却部８０と、接触センサ８８と、ファン３１とを備えている。
【００１６】
照射部５０は、対象物である肌Ｓに対してフラッシュライト（以降、光と称する場合もある。）を照射する。具体的には、照射部５０は、ハウジング２１の一端部に設けられた発光面１１０に向けてフラッシュライトを照射することで、発光面１１０に対向した対象物（肌Ｓ）に対して光を照射する。発光面１１０は、照射部５０におけるフラッシュライトが発光する発光領域である。発光面１１０は平面視において長尺な矩形状に形成されている。発光面１１０は、後述する光源５１の光軸に対して直交する平面である。本実施の形態では、発光面１１０は開口である場合を例示するが、発光面は光透過性の光学部材で塞がれていてもよい。この光学部材は、後述するフィルタ５３であってもよいし、フィルタとは別体の光学部材であってもよい。
【００１７】
照射部５０は、光源５１と、反射部５２と、フィルタ５３とを備えている。光源５１は、例えば、フラッシュ発光可能な直線的な管状光源であり、例えばキセノンランプである。光源５１は、当該光源５１の長手方向が発光面１１０の長手方向と平行となるように、発光面１１０の短手方向の中央付近に配置されている。
【００１８】
反射部５２は、光源５１が出射した光の一部を発光面１１０に向けて反射するリフレクタである。この反射部５２は、発光面１１０側が開放された凹状空間５２１を有しており、その凹状空間５２１内に光源５１が配置されている。反射部５２における凹状空間５２１をなす凹曲面は、反射面となっている。
【００１９】
フィルタ５３は、凹状空間５２１の開放部分を覆っており、光源５１から照射された光の波長を調整する光学フィルタである。フィルタ５３は、発光面１１０に対して平行に配置されている。フィルタ５３を透過した光は、抑毛効果を発揮することが可能な波長帯の光となる。抑毛効果を発揮することが可能な波長帯は、毛のメラニンに作用する５００ｎｍ以上１２００ｎｍ以下の波長帯であり、特に８００ｎｍ以上８５０ｎｍ以下の波長帯が特に抑毛効果に寄与している。８００ｎｍ以上８５０ｎｍ以下の波長帯の光照射の積算Ｅｇ（Ａ）と５００ｎｍ以上６００ｎｍ以下の波長帯の光照射の積算Ｅｇ（Ｂ）との比率Ａ／Ｂは、Ａ／Ｂ≧１．２以上あるとより効果的に抑毛効果を得ることができる。
【００２０】
温度検出部７０は肌Ｓの表面温度を検出する。具体的には、温度検出部７０は１以上（本実施の形態では４つ）の接触式の温度センサ７１を含んでいる。接触式の温度センサ７１としては、例えば接触式サーミスタ、熱電対、測温抵抗体などが挙げられる。４つの温度センサ７１は、発光面１１０の周囲に配置されている。４つの温度センサ７１のうち、一対の温度センサ７１は、発光面１１０の短手方向で当該発光面１１０を挟むように配置されている。また、他の一対の温度センサ７１は、発光面１１０の長手方向で当該発光面１１０を挟むように配置されている。
【００２１】
複数の温度センサ７１の表面と、ハウジング２１における発光面１１０の周縁部とは、略面一となっている。これにより、肌Ｓに対して発光面１１０を対向させた場合には、複数の温度センサ７１の表面と、ハウジング２１における発光面１１０の周縁部とを肌Ｓに密着させることができる。温度センサ７１の表面が肌Ｓに密着していれば、温度検出の正確性を高めることができる。ハウジング２１における発光面１１０の周縁部が肌Ｓに密着していれば、漏れ光を抑制することができる。
【００２２】
ここで、光照射の前後においては、肌Ｓにおける受光領域の温度を検出することが望まれる。受光領域とは、肌Ｓにおける発光面１１０に対向した領域であり、施術が施される領域である。つまり発光面１１０内に温度検出部を配置していれば、受光領域の温度を確実に検出することができるが、その場合においては、温度検出部が光を遮ってしまう。本実施の形態のように、温度検出部７０が発光面１１０の周囲に配置されていれば、温度検出部７０は、光を遮ることなく受光領域近傍の温度を検出することが可能である。
【００２３】
冷却部８０は、発光面１１０の周囲に配置されており、肌Ｓを冷却する。具体的には、冷却部８０は、発光面１１０の短手方向で並んだ一対の温度センサ７１のうち、把握部４０に近い側の温度センサ７１を発光面１１０とともに挟む位置に配置されている。これにより、冷却部８０は、発光面１１０に対して、当該発光面１１０の短手方向で並んでいる。また、冷却部８０は、ヘッド部３０内において、発光面１１０と把握部４０との間に配置されている。上述したように、ハウジング２１は、ヘッド部３０から把握部４０にかけて湾曲している。冷却部８０は、ヘッド部３０内において、ハウジング２１における湾曲の凹部側に配置されることで、発光面１１０と把握部４０との間に配置されている。
【００２４】
冷却部８０は、熱電素子８１と、蓄熱部材８２と、排熱機構８３とを有している。熱電素子８１は、例えば冷却機能を有したペルチェ素子である。熱電素子８１の発熱面には排熱機構８３が接触するように設けられており、熱電素子８１の吸熱面には蓄熱部材８２が積層されている。
【００２５】
蓄熱部材８２は、蓄熱性を有する例えば金属製またはセラミック製の平板である。蓄熱部材８２は、熱電素子８１の吸熱面の全体に対して直接的に重ねられている。蓄熱部材８２における熱電素子８１とは反対側の表面は、肌Ｓに接触して当該肌Ｓを冷却する平坦な冷却面８４である。冷却面８４は、ヘッド部３０から露出しており、発光面１１０に対して傾斜する姿勢で配置されている。具体的には、図４及び図５に示すように、発光面１１０に対して直交する断面視でヘッド部３０を見た場合において、冷却面８４は、発光面１１０に対して角度αで傾いている。なお、角度αは、冷却面８４と、発光面１１０とがなす狭角側の角度である。換言すると、冷却面８４と発光面１１０とがなす角度は、１８０度−角度αとなる。このため、図４に示すように、発光面１１０を肌Ｓに当てた状態では、冷却面８４が肌Ｓから離間する。つまり、光照射時において肌Ｓに当たる面積を小さくすることができる。この光照射時の抑毛装置１０の姿勢を光照射姿勢と称す。
【００２６】
一方、図５に示すように、冷却面８４を肌Ｓに当てた状態では、発光面１１０が肌Ｓから離間する。つまり、冷却時においても肌Ｓに当たる面積を小さくすることができる。この冷却時の抑毛装置１０の姿勢を冷却姿勢と称す。
【００２７】
また、角度αは９０度未満であればよいが、６０度以下であれば、ヘッド部３０の先端部形状がより小さくなるためにより操作性が高められる。
【００２８】
図３に示すように、冷却面８４は、平面視において長尺な矩形状であり、その長手方向が発光面１１０の長手方向と平行となるように配置されている。冷却面８４の面積は、発光面１１０の面積よりも大きい。これにより、冷却面８４で冷却された肌Ｓの冷却領域は、発光面１１０よりも大きくなる。このため、肌Ｓの冷却領域内に発光面１１０を収めることができる。
【００２９】
また、図３及び図４に示すように、ハウジング２１において、冷却面８４と発光面１１０との境界部分には、１８０度−角度αに準じた凸状の角部８９が設けられている。角部８９の頂点は、冷却面８４及び発光面１１０の長手方向に対して平行に延設されている。この角部８９を肌Ｓに当接させて支点とすることで、肌Ｓに発光面１１０を重ねた状態と、肌Ｓに冷却面８４と重ねた状態とを容易に切り替えることができる。
【００３０】
排熱機構８３は、複数のフィンを有するヒートシンクであり、当該ヒートシンクの基部が熱電素子８１の発熱面の全体に対して接触するように設けられている。排熱機構８３は、熱電素子８１の発熱面から発せられた熱をハウジング２１内の通気路に放熱する。
【００３１】
接触センサ８８は、肌Ｓに対する接触を検出する。接触センサ８８は、冷却面８４の周囲に配置されている。具体的には、接触センサ８８は、冷却面８４の周囲であって、発光面１１０とは反対側の、当該発光面１１０の長手方向の中央付近に配置されている。
【００３２】
ファン３１は、排熱機構８３を冷却するための部位であり、ヘッド部３０内の通気路内に配置されている。ファン３１からの排気は、通気路を介して複数の通気孔３２からハウジング２１の外部へと排出される。
【００３３】
次に、抑毛装置１０の制御構成について説明する。図６は、実施の形態に係る抑毛装置１０の制御構成を示すブロック図である。
【００３４】
図６に示すように、抑毛装置１０の制御部１５は、マイコンであり、第一スイッチ素子４６１、第二スイッチ素子４６２、点灯部４３、コンデンサ４５、ファン３１、光源５１、温度検出部７０、接触センサ８８及び冷却部８０が電気的に接続されている。
【００３５】
制御部１５は、ハウジング２１内に収容された回路基板上に実装されている。また、回路基板には、第一スイッチ素子４６１及び第二スイッチ素子４６２が実装されている。第一スイッチ素子４６１は、電源ＯＮ／ＯＦＦ用であり、電源ボタン４１が押下されることで、商用電源からの電力供給のＯＮ／ＯＦＦを切り替えるための制御信号を制御部１５に出力する。第二スイッチ素子４６２は、照射部５０を発光させるためのスイッチ素子であり、発光ボタン４２が押下されることで、照射部５０を発光させるための制御信号（発光信号）を制御部１５に出力する。コンデンサ４５は、ハウジング２１内に収容されており、電源端子４９を介して入力された商用電源からの電力を、照射部５０を発光させるための電荷として蓄えるコンデンサである。コンデンサ４５から照射部５０に出力される電力のデューティ比は、制御部１５によって制御されるようになっている。
【００３６】
制御部１５は、第一スイッチ素子４６１から出力された制御信号に基づいて、光源５１、点灯部４３、コンデンサ４５及びファン３１を制御する。具体的には、制御部１５は、電源ＯＦＦ時に、電源ボタン４１が操作されることによって第一スイッチ素子４６１から制御信号が入力されると、商用電源からの電力を各部に供給する。一方、制御部１５は、電源ＯＮ時に、電源ボタン４１が操作されることによって第一スイッチ素子４６１から制御信号が入力されると、商用電源からの電力の供給を停止する。なお、制御部１５は、電源ＯＮ時においては点灯部４３を点灯させ、電源ＯＦＦ時においては点灯部４３を消灯させる。また、制御部１５は、電源ＯＮ時においてはファン３１を駆動させ、電源ＯＦＦ時においてはファン３１を停止させる。つまり、電源ＯＮ時においては、ファン３１によって照射部５０が冷却されている。
【００３７】
制御部１５は、電源ＯＮ時においては冷却部８０を駆動させ、電源ＯＦＦ時においては冷却部８０を停止させる。制御部１５は、電源ＯＮ時において接触センサ８８が肌Ｓとの接触を検出している場合には、冷却部８０の冷却面８４が肌Ｓに接触しているものとして、肌Ｓに対する冷却時間を計測する。つまり、制御部１５は、接触センサ８８が肌Ｓとの接触を検出し始めたタイミングを起点として冷却時間を計測する。
【００３８】
制御部１５は、冷却時間に基づいて、冷却部８０の熱電素子８１を制御する。具体的には、制御部１５は、冷却時間が８秒以上となるまで、熱電素子８１の冷却面８４の表面温度を−１０℃以上０℃以下とする。
【００３９】
ここで、光照射前の肌Ｓの温度が高ければ高いほど、光照射後においては肌Ｓがダメージを受けやすい。特に、例えばヒゲなどのような太い毛が高密度に生えている部位（顎、頬など）に、上述した波長帯の光を照射すると肌Ｓが高温となってよりダメージを受けやすい。光照射時における肌Ｓの適温は、照射Ｅｇによって異なる。例えば、照射Ｅｇ≧８Ｊにおいては、肌Ｓの表面温度が２５℃以上であると、当該肌Ｓにダメージを与える可能性が高い。そのため、光照射前に肌Ｓの表面を２５℃以下にしておく必要がある。なお、安全マージンを考慮する場合には肌Ｓの表面温度を２５℃よりも低い温度にする。具体的には、光照射前の肌Ｓの表面温度を例えば１５℃より低くする。より好ましくは肌Ｓの表面温度を１３℃よりも低くする。これにより、ヒゲ密度が濃い人が、光照射で感じる痛みを緩和することができる。
【００４０】
図７は、実施の形態に係る冷却部８０によって肌Ｓを所定の冷却時間で冷却した後に、５秒経過した際の肌Ｓの表面温度を示すグラフである。図７では、冷却時における冷却面８４の温度が−１０℃、−５℃、０℃の場合と、保冷剤で冷却した場合とを示している。ここで、複数人に対する実験の結果、肌Ｓの所定の位置に冷却面８４を当ててから当該部位に対して発光面１１０を当てるまでの操作にかかる時間は、概ね５秒以内で施術できることがわかった。このため、冷却停止から５秒経過後の肌Ｓの表面温度が、上述したように１５℃よりも低く、より好ましくは１３℃よりも低くなっていることが、肌Ｓに対する施術のダメージを確実に抑制するうえで求められる。
【００４１】
図７に示すように、冷却時における冷却面８４の温度が−１０℃、−５℃、０℃のいずれの場合においても、８秒以上肌Ｓを冷却しておけば、冷却停止から５秒経過後の肌Ｓの表面温度を１５℃よりも低くすることが可能である。このような条件を満たす熱電素子８１としては、例えば最大級熱量が５Ｗ以上、２０Ｗ未満のペルチェ素子が挙げられる。
【００４２】
ところで、８秒未満の冷却時間であっても−１０℃よりも低い温度で肌Ｓを冷却すると、肌Ｓを凍傷させてしまう可能性が高まる。このため、制御部１５は、熱電素子８１の冷却面８４の表面温度を−１０℃以上としている。
【００４３】
また、制御部１５は、冷却時間が８秒を経過した場合には、点灯部４３の点灯パターンを通常時と異ならせることで、ユーザに肌Ｓが十分冷却された旨を報知（冷却完了報知）して、冷却姿勢から光照射姿勢への移行を促す。
【００４４】
また、制御部１５は、電源ＯＮ時においては、温度検出部７０の４つの温度センサ７１が検出した温度を監視しており、少なくとも一つの温度センサ７１の検出温度が所定値（１５℃）以上の場合には、照射部５０の光の照射を禁止する。この禁止期間には、制御部１５は、第二スイッチ素子４６２から発光信号が入力されたとしても受け付けない。この場合、制御部１５は、点灯部４３の点灯パターンを通常時及び冷却完了報知とは異ならせることで、ユーザに光の照射が禁止された旨を報知する。
【００４５】
一方、制御部１５は、４つの温度センサ７１のそれぞれの検出温度が所定値未満である場合には、照射部５０の光の照射を許可する。この許可期間には、制御部１５は、第二スイッチ素子４６２から入力された発光信号を受け付けて、光源５１を発光させる。
【００４６】
［制御方法］
次に、抑毛装置１０の制御方法について説明する。図８は、本実施の形態に係る抑毛装置１０の制御方法の流れを示すフローチャートである。この制御方法は、電源ＯＮとなってからの流れを示している。
【００４７】
まず、ユーザは、抑毛装置１０の把握部４０を把握した状態で、冷却面８４を肌Ｓの特定部位（施術領域）に重ね合わせて、抑毛装置１０を冷却姿勢としている（図５参照）。前述したように、冷却姿勢では、発光面１１０が肌Ｓから離れるために、冷却面８４のみを施術領域に重ねればよく、位置合わせが容易である。
【００４８】
このとき、制御部１５は、接触センサ８８が肌Ｓとの接触を検出すると、冷却時間を計測する（ステップＳ１）。電源ＯＮ時には、制御部１５の制御に基づいて冷却部８０が駆動しているので肌Ｓの施術領域が冷却されている。制御部１５は、冷却部８０の駆動を電源ＯＦＦまで継続させる。なお、制御部１５は、接触センサ８８が肌Ｓとの接触を検出しているときのみに冷却部８０を駆動してもよい。
【００４９】
ステップＳ２では、制御部１５は、冷却時間が８秒を経過したか否かを判定しており、経過していない場合にはその状態を維持し、経過した場合にはステップＳ３に移行する。
【００５０】
ステップＳ３では、制御部１５は、点灯部４３を制御して、冷却完了報知の点灯パターンで点灯部４３を点灯させる。これにより、ユーザは抑毛装置１０を冷却姿勢から光照射姿勢へと切り替える。
【００５１】
ここで、切り替え操作について説明する。ユーザは、把握部４０を把握した状態で、ヘッド部３０の角部８９を支点として手首をかえすことで、抑毛装置１０を冷却姿勢から光照射姿勢へと切り替える。発光面１１０は、ヘッド部３０内において、冷却面８４よりも把握部４０から遠い位置に配置されている。このため、ユーザは、ヘッド部３０を引き寄せる方向に手首をかえせば、発光面１１０を肌Ｓの施術領域（冷却領域）に重ね合わせることができ、スムーズに位置合わせをすることができる。これにより、抑毛装置１０は光照射姿勢へと切り替えられる。
【００５２】
ステップＳ４では、制御部１５は、４つの温度センサ７１の検出温度に所定値以上の検出温度があるか否かを判断する。制御部１５は、少なくとも一つの温度センサ７１の検出温度が所定値以上である場合にはステップＳ５に移行し、温度センサ７１のそれぞれの検出温度が所定値未満である場合にはステップＳ７に移行する。
【００５３】
ステップＳ５では、制御部１５は照射部５０の光の照射を禁止する。この禁止期間においては、制御部１５は、第二スイッチ素子４６２から発光信号が入力されたとしても受け付けない。つまり、高温化した肌Ｓに照射部５０からの光が照射されないので、肌Ｓに対するダメージを防止することができる。
【００５４】
ステップＳ６では、制御部１５は、点灯部４３を制御して、通常時と異なる点灯パターンで点灯部４３を点灯させる。これにより、照射の禁止がユーザに報知される。ユーザはこの点灯部４３の報知を直接、あるいは鏡越しに視認することで、現在が禁止期間であること、つまり肌Ｓの温度が所定値よりも高いことを把握する。ユーザは、抑毛装置１０を再度、冷却姿勢へと切り替えることで、冷却部８０による肌Ｓへの冷却を再開する。これにより、制御部１５は、ステップＳ１に移行する。
【００５５】
ステップＳ７では、各温度センサ７１の検出温度が所定値未満であり、肌Ｓに対する安全性がある程度確保された状態であるので、制御部１５は照射部５０の光の照射を許可する。
【００５６】
ステップＳ８では、制御部１５は、許可期間中に第二スイッチ素子４６２から発光信号が入力されたか否かを判断し、発光信号が入力されていない場合にはステップＳ４に移行して、発光信号が入力された場合にはステップＳ９に移行する。許可期間中に再度ステップＳ４に移行されるので、肌Ｓの温度が何らかの要因で所定値未満から所定値以上に上昇した場合には、禁止期間に切り替えられる。
【００５７】
ステップＳ９では、制御部１５は、光源５１を制御して、照射部５０から肌Ｓに対して光を照射する。これにより、肌Ｓに対しては抑毛効果のあるフラッシュ光が照射される。
【００５８】
［効果など］
以上のように、本実施の形態に係る抑毛装置１０は、対象物（肌Ｓ）にフラッシュライトを照射する照射部５０と、照射部５０におけるフラッシュライトが発光する発光面１１０の周囲に配置されて、肌Ｓを冷却する冷却部８０とを備え、冷却部８０の冷却面８４は、当該冷却面８４と発光面１１０との境界部分（角部８９）が凸状となるように、発光面１１０に対して傾斜するように配置されている。
【００５９】
これによれば、冷却部８０の冷却面８４は、角部８９が凸状となるように発光面１１０に対して傾斜しているので、発光面１１０を肌Ｓに当てた状態では冷却面８４が肌Ｓから離間する。つまり、光照射時においては、肌Ｓに対するヘッド部３０の接触面積を小さくすることができる。したがって、ユーザが意図した場所に照射部５０を位置合わせすることが容易となる。一方、冷却面８４を肌Ｓに当てた状態では、発光面１１０が肌Ｓから離間する。つまり、冷却時においても、肌Ｓに対するヘッド部３０の接触面積を小さくすることができる。この場合においても、ユーザが意図した場所に冷却部８０を位置合わせすることが容易となる。これらのことにより、抑毛装置１０の操作性を高めることができる。
【００６０】
また、抑毛装置１０は、照射部５０及び冷却部８０を保持するハウジング２１を備え、ハウジング２１は、照射部５０及び冷却部８０を有するヘッド部３０と、ヘッド部３０に連続し、ユーザにより把握される把握部４０と、を備え、冷却部８０は、ヘッド部３０内において照射部５０と把握部４０との間に配置されている。
【００６１】
これによれば、照射部５０が、ヘッド部３０内において、冷却面８４よりも把握部４０から遠い位置に配置されている。このため、ユーザは、ヘッド部３０を引き寄せる方向に手首をかえせば、照射部５０の発光面１１０を肌Ｓの施術領域（冷却領域）に重ね合わせることができ、スムーズに位置合わせをすることができる。したがって、より抑毛装置１０の操作性を高めることができる。
【００６２】
また、抑毛装置１０は、肌Ｓの温度を検出する温度検出部７０と、温度検出部７０の検出温度に基づいて照射部５０を制御する制御部１５とを備え、制御部１５は、温度検出部７０の検出温度が所定値以上である場合には、照射部５０の照射を禁止する。
【００６３】
これによれば、温度検出部７０の検出温度が所定値以上である場合には、照射部５０の照射が禁止されているので、高温化した肌Ｓに照射部５０からの光が照射されることを防止することができる。これにより、肌Ｓに対するダメージを防止することができるので、ユーザは、肌Ｓに対するダメージを気にすることなく抑毛装置１０を操作することができる。
【００６４】
また、抑毛装置１０は、冷却部８０を制御する制御部１５を備え、冷却部８０は、ペルチェ素子（熱電素子８１）あり、制御部１５は、熱電素子８１の冷却面８４の表面温度を−１０℃以上０℃以下とした状態で８秒以上の冷却時間で肌Ｓを冷却する。
【００６５】
これによれば、熱電素子８１が冷却面８４の表面温度を−１０℃以上０℃以下とした状態で８秒以上の冷却時間で肌Ｓを冷却するので、光照射によるダメージを受けにくい温度まで肌Ｓを確実に冷却することができる。
【００６６】
また、抑毛装置１０は、冷却部８０の冷却面８４の周囲に配置され、肌Ｓに対する接触を検出する接触センサ８８を有し、制御部１５は、接触センサ８８の検出結果に基づいて冷却時間を計測する。
【００６７】
これによれば、冷却面８４の周囲に配置された接触センサ８８の検出結果に基づいて、制御部１５が冷却時間を計測するので、冷却面８４による肌Ｓに対する冷却時間を正確に計測することができる。したがって、冷却制御の正確性を高めることができる。
【００６８】
また、冷却部８０の冷却面８４の面積は、発光面１１０の面積よりも大きい。
【００６９】
これによれば、冷却面８４の面積が、発光面１１０の面積よりも大きいので、冷却面８４で冷却された肌Ｓの冷却領域は、発光面１１０よりも大きくなる。このため、肌Ｓの冷却領域内に発光面１１０を収めることができる。
【００７０】
［変形例］
なお、抑毛装置１０の構成は、上記実施の形態で説明された構成に限定されない。そこで、以下に、抑毛装置についての変形例を上記実施の形態との差分を中心に説明する。以降の説明では、上記実施の形態と同一部分については同一の符号を付してその説明を省略する場合がある。
【００７１】
（変形例１）
上記実施の形態では、温度検出部７０が接触式の温度センサ７１を備えている場合を例示した。この変形例１では、温度検出部７０ａが非接触式の温度センサ７１ａを備えている場合について説明する。
【００７２】
図９及び図１０は、変形例１に係るヘッド部３０Ａの概略構成を示す断面図である。図９は肌Ｓの表面温度の検出時の状態を示し、図１０は光照射時の状態を示している。
【００７３】
図９及び図１０に示すように、ヘッド部３０Ａに備わる温度検出部７０ａは、非接触式の複数の温度センサ７１ａと、シャッタ機構７５ａとを備えている。
【００７４】
複数の温度センサ７１ａは、照射部５０の光照射範囲外に配置されている。具体的には、複数の温度センサ７１ａは、フィルタ５３の周囲に配置されている。温度センサ７１ａは、例えば赤外線温度センサであり、肌Ｓに対して赤外線を照射し、当該肌Ｓを反射した赤外線を受光することで、肌Ｓの表面温度を検出する。図９中の矢印が赤外線の光路を示している。赤外線温度センサは、例えば赤外線を照射した時点から温度を検出するまでの検出時間が１ｓ以下であることがよい。そして、計測回数が１回であると、測定精度が粗くなるため、温度センサ７１ａは、検出時間中に、肌Ｓの表面温度を複数回検出しその中から最大値を選択する。温度センサ７１ａは、その温度検出面が発光面１１０を介して肌Ｓに向かう姿勢でヘッド部３０に固定されている。
【００７５】
シャッタ機構７５ａは、温度センサ７１ａの温度検出面を開閉する機構である。具体的には、シャッタ機構７５ａは、シャッタ部材７６ａと、例えばバネなどの付勢部材（図示省略）とを備えている。シャッタ部材７６ａは、発光面１１０を囲む枠体であり、ヘッド部３０Ａに対して出没自在に設けられている。シャッタ部材７６ａの外周部には、温度センサ７１ａが収容される複数の切欠７７ａが形成されている。シャッタ部材７６ａがヘッド部３０Ａ内に収まっている状態では、図１０に示すように各切欠７７ａ内に各温度センサ７１ａが収容される。これにより、温度センサ７１ａの温度検出面がシャッタ部材７６ａによって閉塞される。一方、図９に示すようにシャッタ部材７６ａがヘッド部３０Ａから突出している状態では、各切欠７７ａから各温度センサ７１ａが離間し、温度検出面が露出する。つまり、肌Ｓの表面温度が検出可能な状態となる。
【００７６】
付勢部材は、例えばバネなどの弾性部材であり、ヘッド部３０Ａ内に設けられている。付勢部材は、シャッタ部材７６ａに対してヘッド部３０Ａから突出する方向への付勢力を付与している。例えば、シャッタ部材７６ａに対して外力が加えられていない場合、つまり、図９に示すように肌Ｓがシャッタ部材７６ａに接触していない場合では、付勢部材の付勢力によって常にシャッタ部材７６ａがヘッド部３０Ａから突出する。これにより、各温度センサ７１ａの温度検出面が露出する。一方、シャッタ部材７６ａに対して外力が加えられた場合、つまり、図１０に示すように肌Ｓがシャッタ部材７６ａを押圧した場合では、付勢部材の付勢力に抗ってシャッタ部材７６ａがヘッド部３０Ａ内に収容される。これにより、各温度センサ７１ａの温度検出面が閉塞される。この状態であれば、照射部５０から光が照射されたとしても、当該光がシャッタ部材７６ａで遮られるため、温度センサ７１ａの温度検出面に到達しない。これにより、照射部５０からの光によって温度センサ７１ａが損傷してしまうことを防止できる。
【００７７】
以上のように、温度検出部７０ａが、非接触式の複数の温度センサ７１ａと、温度センサ７１の温度検出面を開閉するシャッタ機構７５ａとを有している。これにより、光照射時においては、シャッタ機構７５ａが照射部５０からの光を遮るために、温度センサ７１ａを保護することができる。
【００７８】
また、温度検出部７０ａが非接触式の温度センサ７１ａを含んでいるので、肌Ｓの受光領域の温度を確実に検出することが可能である。
【００７９】
なお、ヘッド部３０Ａは、シャッタ部材７６ａが温度センサ７１ａの温度検出面を閉塞したことを検出するセンサを有していてもよい。このセンサがシャッタ部材７６ａによる温度検出面の閉鎖を検出していない場合には、制御部１５が照射部５０の光の照射を禁止すればよい。温度センサ７１ａの温度検出面が露出している際には、照射部５０から光が照射されないので、温度センサ７１ａを確実に保護することができる。
【００８０】
（変形例２）
上記実施の形態では、冷却部８０の冷却面８４が平坦である場合を例示した。この変形例２では、冷却部８０ｂの冷却面８４ｂが曲面である場合について説明する。
【００８１】
図１１は、変形例２に係るヘッド部３０Ｂの概略構成を示す断面図である。図１１に示すように、ヘッド部３０Ｂに備わる冷却部８０ｂでは、冷却面８４ｂが外方に向けて凸となる曲面となっている。冷却面８４ｂは、当該冷却面８４ｂの長手方向において、全体にわたって同形状の曲面となっている。冷却面８４ｂにおいて、照射部５０側の一端部では、接線と発光面１１０とがなす角度α１が０度よりも大きく９０度未満の角度となっている。同様に、冷却面８４ｂにおいて、照射部５０とは反対側の他端部では、接線と発光面１１０とがなす角度α２が０度よりも大きく９０度未満であって、角度α１よりも大きい角度となっている。
【００８２】
このように、冷却面８４ｂが外方に向けて凸となる曲面である場合には、肌Ｓに対して冷却面８４ｂを押し当てることができ、より冷却効率を高めることができる。
【００８３】
［その他］
以上、本発明に係る抑毛装置について、上記実施の形態及び各変形例に基づいて説明したが、本発明は、上記実施の形態及び各変形例に限定されるものではない。
【００８４】
例えば、上記実施の形態では、発光ボタン４２が操作されることに起因して発光信号が第二スイッチ素子４６２から制御部１５に入力される場合を例示した。しかしながら、例えば制御部１５内において、電源ＯＮ時に所定のタイミングで発光信号が自動生成されてもよい。この場合においても、制御部１５は、禁止期間であるときには発光信号を受け付けず、許可期間であるときには発光信号を受け付ける。
【００８５】
また、照射部５０が一つの光源５１を有している場合を例示した。しかしながら、光源５１の設置個数は、２つ以上であってもよい。
【００８６】
また、上記実施の形態では、報知部として視覚的な報知を行う点灯部４３を例示した。しかし、ユーザに報知が行えるのであれば、その他の報知部を用いることが可能である。その他の報知部としては、例えば聴覚的な報知を行うスピーカまたは触覚的な報知を行う振動装置などが挙げられる。また、種類の異なる報知部を複数組み合わせて用いることも可能である。
【００８７】
また、上記実施の形態では、電源として商用電源を例示したが、一次電池または二次電池などの電池を電源としてもよい。
【００８８】
また、上記実施の形態では、熱電素子８１を備えた冷却部５０を例示した。しかしながら、冷却部は冷却面を有しているのであれば、熱電素子８１以外の冷却手段を有していてもよい。その他の冷却手段としては、保冷剤を用いた冷却構造、空冷式の冷却構造、水冷式の冷却構造、油冷式の冷却構造などが挙げられる。
【００８９】
また、上記実施の形態では、主要構成がハウジング２１と一体的に設けられた抑毛装置１０を例示して説明した。しかし、肌に対して光学的な施術を行うヘッド部と、ヘッド部に電力を供給する電力供給部とがケーブルを介して別体化された抑毛装置であってよい。
【００９０】
また、上記実施の形態では、抑毛専用の光照射型美容装置を例示した。しかし、抑毛機能以外の機能も有する多機能な光照射型美容装置であってもよい。その他の機能としては、抑毛時よりも弱い光を肌に照射することで肌をケアする肌ケア機能などが挙げられる。また、抑毛機能のない光照射型美容装置であってもよい。
【００９１】
その他、実施の形態及び各変形例に対して当業者が思いつく各種変形を施して得られる形態や、本発明の趣旨を逸脱しない範囲で実施の形態及び各変形例における構成要素及び機能を任意に組み合わせることで実現される形態も本発明に含まれる。
【産業上の利用可能性】
【００９２】
本発明は、例えば光学式の抑毛装置などの光照射型美容装置に適用可能である。
【符号の説明】
【００９３】
１０  抑毛装置（光照射型美容装置）
１５  制御部
２１  ハウジング
３０、３０Ａ、３０Ｂ  ヘッド部
３１  ファン
３２  通気孔
４０  把握部
４１  電源ボタン
４２  発光ボタン
４３  点灯部
４５  コンデンサ
４９  電源端子
５０  照射部
５１  光源
５２  反射部
５３  フィルタ
７０、７０ａ  温度検出部
７１、７１ａ  温度センサ
７５ａ  シャッタ機構
７６ａ  シャッタ部材
７７ａ  切欠
８０、８０ｂ  冷却部
８１  熱電素子
８２  蓄熱部材
８３  排熱機構
８４、８４ｂ  冷却面
８８  接触センサ
８９  角部
１１０  発光面
４６１  第一スイッチ素子
４６２  第二スイッチ素子
５２１  凹状空間
Ｓ  肌（対象物）
α、α１、α２  角度
【図１】
2020162792.tif 000003
【図２】
2020162792.tif 000004
【図３】
2020162792.tif 000005
【図４】
2020162792.tif 000006
【図５】
2020162792.tif 000007
【図６】
2020162792.tif 000008
【図７】
2020162792.tif 000009
【図８】
2020162792.tif 000010
【図９】
2020162792.tif 000011
【図１０】
2020162792.tif 000012
【図１１】
2020162792.tif 000013